【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
対象物の運動を制御するように構成された装置であって、
（ａ）少なくとも１つの弾力性部材であって、該少なくとも１つの弾力性部材に取り付けられた少なくとも１つの対象物の、実質的に鉛直なｙ軸方向における運動を制限するように構成された少なくとも１つの弾力性部材と、
（ｂ）前記少なくとも１つの弾力性部材に固定せずに連結された少なくとも１つの支持部材であって、前記少なくとも１つの支持部材に関する設定経路に沿った弾力性部材移動を制限するように構成され、前記支持部材の長さの少なくとも一部にわたって正の傾斜または負の傾斜を有する少なくとも１つの支持部材と、
（ｃ）前記少なくとも１つの弾力性部材が前記設定経路に沿って移動するように、実質的に水平なｘ軸力を前記少なくとも１つの弾力性部材に付与するように構成された力発生機構と
を備える、装置。
【請求項２】
前記少なくとも１つの支持部材は、懸垂線形、Ｕ字形、湾曲形、螺旋形、もしくはＪ字形、またはそれらの組み合わせに構成されている、請求項１に記載の装置。
【請求項３】
前記少なくとも１つの支持部材は、実質的に非弾力性の材料で製造されている、請求項１または２に記載の装置。
【請求項４】
前記少なくとも１つの支持部材の少なくとも一部が、水平面に対して傾斜した平面に配置されている、請求項１〜３のいずれか一項に記載の装置。
【請求項５】
前記少なくとも１つの弾力性部材は、ゴム引き材料で製造されている、請求項１〜４のいずれか一項に記載の装置。
【請求項６】
少なくとも１つの連結部材をさらに備え、前記連結部材は、前記少なくとも１つの弾力性部材を前記少なくとも１つの支持部材に連結し、前記少なくとも１つの支持部材に沿って移動することができる、請求項１〜５のいずれか一項に記載の装置。
【請求項７】
前記少なくとも１つの連結部材は、少なくとも１つのジップライントロリーである、請求項６に記載の装置。
【請求項８】
少なくとも１つの対象物連結部材をさらに備え、前記対象物連結部材は、前記少なくとも１つの弾力性部材の末端で前記少なくとも１つの弾力性部材に連結されている、請求項１〜７のいずれか一項に記載の装置。
【請求項９】
前記少なくとも１つの対象物連結部材は、少なくとも１つのハーネス、少なくとも１つの車両、少なくとも１つのキャリッジ、もしくは少なくとも１つのトロリー、またはそれらの組み合わせである、請求項８に記載の装置。
【請求項１０】
前記力発生機構は、前記少なくとも１つの弾力性部材に非重力エネルギーを与えるように構成されている、請求項１〜９のいずれか一項に記載の装置。
【請求項１１】
前記力発生機構は、
前記少なくとも１つの弾力性部材の末端を前記少なくとも１つの支持部材の末端から離れる方向に引くことにより、前記少なくとも１つの弾力性部材を付勢するように構成された引き戻し機構と、
前記少なくとも１つの支持部材に配置された弾力性部材ストップであって、前記引き戻し機構が前記少なくとも１つの弾力性部材を前記少なくとも１つの支持部材の前記末端から離れる方向に引くときに、前記少なくとも１つの支持部材の前記末端とは反対の方向における前記少なくとも１つの弾力性部材の移動を防止することにより、前記少なくとも１つの弾力性部材を付勢するのを助けるように構成された弾力性部材ストップと
をさらに備える、請求項１〜１０のいずれか一項に記載の装置。
【請求項１２】
前記引き戻し機構は、前記少なくとも１つの弾力性部材が前記引き戻し機構によって付勢されると前記少なくとも１つの弾力性部材の前記末端を解放するように構成されたリリースを含む、請求項１１に記載の装置。
【請求項１３】
前記力発生機構は、
前記少なくとも１つの弾力性部材の末端を保持するように構成された紐帯と、
前記少なくとも１つの支持部材に配置された付勢トロリーであって、前記弾力性部材を前記紐帯から遠ざけることにより、前記少なくとも１つの弾力性部材を付勢するように構成された付勢トロリーと
を備える、請求項１〜１２のいずれか一項に記載の装置。
【請求項１４】
前記紐帯は、前記少なくとも１つの弾力性部材が前記付勢トロリーによって付勢されると前記少なくとも１つの弾力性部材の前記末端を解放するように構成されたリリースを含む、請求項１３に記載の装置。
【請求項１５】
前記支持部材の末端が、前記少なくとも１つの支持部材の前記末端に向かう前記弾力性部材の移動を減速および／または停止させるように構成された、実質的に垂直方向に向いた部分を含む、請求項１〜１４のいずれか一項に記載の装置。
【請求項１６】
前記少なくとも１つの支持部材に配置されたトリガをさらに備え、前記トリガは、前記少なくとも１つの弾力性部材が前記トリガを通過するときに、前記少なくとも１つの弾力性部材の長さを伸長させる、請求項１〜１５のいずれか一項に記載の装置。
【手続補正２】
【補正対象書類名】明細書
【補正対象項目名】０００２
【補正方法】変更
【補正の内容】
【０００２】
空間内で対象物を運動させるための様々な装置が存在する。レクリエーションの場面では、バンジー（ｂｕｎｇｅｅ）（「バンジー（ｂｕｎｇｙ）」とも呼ばれる）ジャンプは、ユーザが安全で制御された再現可能な方法で自由落下を体験することを可能にする、現在よく知られている装置である。しかしながら、バンジージャンプは、主に鉛直ｙ軸方向の運動に制限されている。
【手続補正３】
【補正対象書類名】明細書
【補正対象項目名】０００３
【補正方法】変更
【補正の内容】
【０００３】
ベースジャンピング、フライト、または滑空は、乗り手が水平またはｘ軸方向、横方向の運動、および鉛直ｙ軸方向の加速度を経験するというまったく異なる感覚を提供する。これらの活動とバンジージャンプとのさらなる相違点は、バンジージャンプの場合のようにジャンプの最大運動点だけでなく、運動中に上向きに運ばれる感覚である。
【手続補正４】
【補正対象書類名】明細書
【補正対象項目名】０００９
【補正方法】変更
【補正の内容】
【０００９】
第１の態様では、対象物の運動を制御するための装置が提供され、装置は、
（ａ）少なくとも１つの弾力性部材に取り付けられた少なくとも１つの対象物であって、少なくとも１つの弾力性部材は、実質的に鉛直なｙ軸方向において少なくとも１つの対象物の運動を制限する、少なくとも１つの対象物と、
（ｂ）少なくとも１つの弾力性部材に固定せずに連結された少なくとも１つの支持部材であって、支持部材に関する設定経路に沿った弾力性部材の運動を制限して、設定経路方向の運動を対象物に与える、少なくとも１つの支持部材とを備え、
使用中に、少なくとも１つの弾力性部材が付勢され、少なくとも１つの対象物の、少なくとも１つの弾力性部材による鉛直ｙ軸方向の運動と、少なくとも１つの支持部材による設定経路方向の運動との、実質的に両方が開始される。
【手続補正５】
【補正対象書類名】明細書
【補正対象項目名】００１０
【補正方法】変更
【補正の内容】
【００１０】
第２の態様では、制御された態様で対象物を空間内で運動させる方法であって、
（ａ）実質的に上記のような装置を選択するステップと、
（ｂ）少なくとも１つの対象物を少なくとも１つの弾力性部材に取り付けるステップと、
（ｃ）少なくとも１つの弾力性部材を付勢するステップと、
（ｄ）少なくとも１つの対象物の運動を開始するステップと、そして
（ｅ）少なくとも１つの対象物の、少なくとも１つの弾力性部材による鉛直ｙ軸方向の運動と、少なくとも１つの支持部材による設定経路方向の運動との両方を可能にするステップと
によって運動させる、方法が提供される。
【手続補正６】
【補正対象書類名】明細書
【補正対象項目名】００１１
【補正方法】変更
【補正の内容】
【００１１】
上記の装置および方法の利点は、少なくとも２つの方向で対象物の運動を制御する能力を含む。従来技術の制御される運動装置は、一般的には、１つの主要な方向、例えば、鉛直ｙ軸方向の運動を制御するバンジーラインでの運動のみを可能にする。本明細書に記載された装置は、高加速度および減速、高高度における懸垂、滑空、揺れおよび跳ねなどの対象物に対するより多様な運動感覚を導入する。しかしながら、これは、比較的安全かつ調整可能な規定された運動経路において提供される。
【手続補正７】
【補正対象書類名】明細書
【補正対象項目名】００１３
【補正方法】変更
【補正の内容】
【００１３】
【図１】ＡＳＴＭパトロン収容領域加速座標軸線を示す図である。
【図２】娯楽デバイスのＡＳＴＭ加速−持続時間制限を示す図である。
【図３】重力によって引き起こされる運動開始のために対象物が付勢して準備されている装置の一実施形態を示す図である。
【図４】運動を開始している対象物を示す図である。
【図５】鉛直ｙ軸方向の最大延長点を示す図である。
【図６】軌道に沿ってさらに一段階進んでいる対象物の運動経路を示す図である。
【図７】停止点または方向転換点に当たっている連結部材を示す図である。
【図８】連結部材がｘ軸運動を逆転させる、対象物のその後の揺動動作を示す図である。
【図９】対象物の運動の全経路を示す図である。
【図１０】図９に示される対象物より重い対象物の運動の比較全経路を示す図である。
【図１１】対象物に付加的な力を付与するために使用される機構を有する付勢状態にある装置の代替的な実施形態を示す図である。
【図１２】重量の異なる対象物の経路が示された、運動開始後の対象物の初期運動経路を示す図である。
【図１３】１つの対象物重量に基づく代替的な実施形態における対象物の最終的な全運動経路を示す図である。
【図１４】ジャンプ領域から外方にある発射プラットフォームの左側に安全に配置された参加者を示す図である。
【図１５】発射プラットフォームに配置され、参加者が接続するために準備された付勢トロリーおよび乗り手トロリーを示す図である。
【図１６】安全紐帯、簡易脱着（冗長性のある）紐帯、およびバンジーケーブルを通じてプラットフォームに安全に固定されたままで、参加者が安全に活動に従事しているところを示す図である。
【図１７】参加者から外方に所定の位置に向かってＸ方向にオーバーヘッドケーブルに沿って移動され、バンジーケーブルに弾性エネルギーを付与している付勢トロリーおよび乗り手トロリーを示す図である。
【図１８】参加者が解放され、蓄積された弾性エネルギーが参加者をＸ方向に発射させているときの第１の動作を示す図である。
【図１９】トロリーがケーブル上に位置するハードストップに達するか重力が参加者を止めるまで、参加者の運動量が乗り手トロリーをケーブルに沿ってどのように移動させるかを示す図である。
【図２０】参加者をプラットフォームに戻し、活動をリセットすることができる、従来技術のバンジージャンプで使用されているのと同様の回収システムの例を示す図である。
【図２１】システムを試行するために使用される試験装置の平面図である。
【図２２】システムを試行するために使用される試験装置の側面立面図である。
【図２３】試験装置を使用した約５秒後の、３．２Ｘラインストレッチ（７０ｍ）の３５ｋｇ、７０ｋｇ、１００ｋｇ、および１３５ｋｇ質量の予測初期発射運動プロファイルを示す図である。
【図２４】８５ｋｇで５５ｍ伸張されている、第１のコード（コード１）（軽量コード）の試行１の軌道を示す図である。
【図２５】３８ｋｇで４０ｍ伸張されている、第１のコード（コード１）（軽量コード）の試行２の軌道を示す図である。
【図２６】３８ｋｇで４０ｍ伸張されている、代替的なコード（コード３）（重いコード）の試行３の軌道を示す図である。
【図２７】８５ｋｇで５２ｍ伸張されている、代替的なコード（コード３）（重いコード）の試行４の軌道を示す図である。
【図２８】１３５ｋｇで７０ｍ伸張されている、代替的なコード（コード３）（重いコード）の試行５の軌道を示す図である。
【図２９】試験２の測定された加速−持続時間プロファイルのグラフを示す図である。
【図３０】試験３の測定された加速−持続時間プロファイルのグラフを示す図である。
【図３１】試験４の測定された加速−持続時間プロファイルのグラフを示す図である。
【図３２】試験５の測定された加速−持続時間プロファイルのグラフを示す図である。
【図３３】対象乗り手トロリーがライン上の固定された剛性ストップに当たる代替的な実施形態を示す図である。
【図３４】対象乗り手トロリーが、ライン上に位置する弾力のある軟質ストップに当たる代替的な実施形態を示す。
【図３５】ライン形状および重力を使用して対象物を停止させる代替的な実施形態を示す図である。
【図３６】乗り手の運動を停止または減速させる異なる手段を示す図である。
【図３７】対象物／乗り手の飛行軌道を変更するさらなる代替的な方法を示す図である。
【図３８】ライン上の乗り手の位置および運動を制御するために、進行ラインの張力／長さを変化させる、代替的な実施形態を示す図である。
【図３９】ライン終点を上下させることによって異なる方法で達成される、進行ラインの張力／長さを変化させるための代替的な手段を示す図である。
【図４０】乗り手の乗り手トロリーが架線に沿って進行し、乗り手に接続されたバンジーラインが伸長するようにされる点に達している、さらなる実施形態を示す図である。
【図４１】乗り手がｚ軸方向の運動も包含する飛行経路または軌道を有する代替の実施形態を示す図である。
【図４２】主にｙ軸初期運動を伴う垂直発射を有する代替的な実施形態を示す。
【図４３】主にｙ軸初期運動を伴う垂直発射を有する代替的な実施形態を示す。
【図４４】乗り手トロリーが下降するための２つのラインを使用する代替の実施形態を示す図である。
【図４５】技術を必要とするカーニバルゲームまたは娯楽ゲームをしている人ではなく、物体を運動させるために使用される代替的な実施形態を示す図である。
【図４６】乗り手によって操作されるか、またはセンサシステムを使用して遠隔操作され得るハンドヘルドブレーキの実施形態を示す図である。
【図４７】乗り手のハーネスまたは乗り手トロリーに組み込まれて、乗り手と乗り手トロリーとの間の相対的な重量を変化させることによって体験を向上させるか、または進行経路によって変化させることができる様々なテーマを示す図である。
【図４８】乗り手が架線に沿って移動するときに作動スプールがラインを伸長または後退させることができるさらなる、代替の実施形態を示す図である。
【図４９】ベクトルケーブルシステムを使用して乗り手の運動経路を変更する代替の手段を示す図である。
【図５０】装置がまた極限／娯楽スポーツに参加する乗り手１２００のための発射システムとしてもどのように使用され得るかを示す図である。
【手続補正８】
【補正対象書類名】明細書
【補正対象項目名】００２２
【補正方法】変更
【補正の内容】
【００２２】
第１の態様では、対象物の運動を制御するための装置が提供され、装置は、
（ａ）少なくとも１つの弾力性部材に取り付けられた少なくとも１つの対象物であって、少なくとも１つの弾力性部材は、実質的に鉛直なｙ軸方向において少なくとも１つの対象物の運動を制限する、少なくとも１つの対象物と、
（ｂ）少なくとも１つの弾力性部材に固定せずに連結された少なくとも１つの支持部材であって、支持部材に関する設定経路に沿った弾力性部材の運動を制限して、設定経路方向の運動を対象物に与える、少なくとも１つの支持部材とを備え、
使用中に、少なくとも１つの弾力性部材が付勢され、少なくとも１つの対象物の、少なくとも１つの弾力性部材による鉛直ｙ軸方向の運動と、少なくとも１つの支持部材による設定経路方向の運動との、実質的に両方が開始される。
【手続補正９】
【補正対象書類名】明細書
【補正対象項目名】００２３
【補正方法】変更
【補正の内容】
【００２３】
発明者らは、少なくとも２方向の制御された対象物運動経路を可能にする装置を開発した。従来技術の制御された運動装置は、一般的には一方向、例えば鉛直ｙ軸方向の運動を制御するバンジーラインでの運動のみを可能にする。本明細書に記載された装置は、高加速度および減速、高高度における懸垂、滑空、揺れおよび跳ねなどの対象物に対するより多様な運動感覚を導入する。ベースジャンパが経験し得るが、制御された、それゆえ安全な方法での滑空の感覚は、バンジージャンプのような従来技術の装置では不可能な装置の１つの特定の態様である。
【手続補正１０】
【補正対象書類名】明細書
【補正対象項目名】００３０
【補正方法】変更
【補正の内容】
【００３０】
１つまたは複数の対象物は、人、物品または動物であってもよく、本明細書におけるあるものに対する参照は、他のものを除外するものとして見なされるべきではない。１つまたは複数の対象物は、弾力性部材の第１の末端にポイント重量を与え得る。人が対象物である実施形態は、現在存在する既存のバンジージャンプアトラクションと同様のレクリエーション装置であると考えられるが、水平ｘ軸運動および鉛直ｙ軸落下運動によって引き起こされる感覚を人に付加する。
【手続補正１１】
【補正対象書類名】明細書
【補正対象項目名】００３７
【補正方法】変更
【補正の内容】
【００３７】
少なくとも１つの支持部材は、部材／ラインの長さの少なくとも一部を通して正または負の傾きを有することができる。上傾または下傾の角度は、水平面に対して約０．１度、または０．５度、または１度、または５度、または１０度、または１５度、または２０度、または２５度、または３０度、または３５度、または４０度、または４５度、または５０度、または５５度、または６０°度、または６５度、または７０度、または７５度、または８０度、または８５度、または９０度からの範囲であってもよい。一実施形態では、部材／ラインの長さの少なくとも一部を通じた上傾または下傾の勾配は、０．１度から７０度まで変化してもよい。代替的に、ラインの長さの少なくとも一部を通じた上傾または下傾の勾配は、５度から４５度まで変化してもよい。５〜４５度の勾配は、装置が谷を越えて取り付けられるレクリエーション設定において有用であり得る。代替的に、ラインの長さの少なくとも一部を通じた上傾または下傾の勾配は、４５度から９０度まで変化してもよい。より大きい角度は、代替的な物体運動プロファイル、例えば、レクリエーションの例ではバンジージャンプに発射される前に速い速度を達成する方法に等しい、設定経路に沿った高速垂直または近垂直運動と、それに後続する、弾力性部材／ライン上の実質的に鉛直なｙ軸方向での発射を表し得る。
【手続補正１２】
【補正対象書類名】明細書
【補正対象項目名】００４１
【補正方法】変更
【補正の内容】
【００４１】
支持部材の特性を変化させて対象物の運動を変更する方法は、以下のようなものであり得る。
（ａ）少なくとも１つの連結部材／弾力性部材がその上で進行する支持部材の数、
（ｂ）１つまたは複数の支持部材の勾配、すなわち、下傾、上傾、水平、鉛直および／または放射状、
（ｃ）支持部材の構成、すなわち、ケーブル、ロープ、トラックおよび／またはレール、
（ｄ）幾何形状−支持部材は、二次元または三次元の形態で作成することができる。選択肢は、直線、特異曲線（懸垂線、放物線など）、または複数曲線（螺旋、ループ、Ｓ字など）を含む。支持部材の外形は、静的（受動的伸長を可能にする）または動的（制御された伸長または収縮）張力によって変化させることもできる。その変化は、活動の前または活動中に生じ得る。
（ｅ）動力学−支持部材は静止しているか、または、移動しているものであり得る。支持部材の移動は一方向または往復方向であり得る。
【手続補正１３】
【補正対象書類名】明細書
【補正対象項目名】００４７
【補正方法】変更
【補正の内容】
【００４７】
第２の態様では、制御された態様で対象物を空間内で運動させる方法であって、
（ａ）実質的に上記のような装置を選択するステップと、
（ｂ）少なくとも１つの対象物を少なくとも１つの弾力性部材に取り付けるステップと、
（ｃ）少なくとも１つの弾性部材を付勢するステップと、
（ｄ）少なくとも１つの対象物の運動を開始するステップと、そして
（ｅ）少なくとも１つの対象物の、少なくとも１つの弾性部材による鉛直ｙ軸方向の運動と、少なくとも１つの支持部材による設定経路方向の運動との両方を可能にするステップと
によって運動させる、方法が提供される。
【手続補正１４】
【補正対象書類名】明細書
【補正対象項目名】００４８
【補正方法】変更
【補正の内容】
【００４８】
上記の説明から明らかなように、記載された装置および方法は、少なくとも２つの方向における制御された対象物の運動を可能にする。従来技術の制御される運動装置は、一般的には、１つの主要な方向、例えば、鉛直ｙ軸方向の運動を制御するバンジーラインでの運動のみを可能にする。本明細書に記載された装置は、高加速度および減速、高高度における懸垂、滑空、揺れおよび跳ねなどの対象物に対するより多様な運動感覚を導入する。しかしながら、これは、比較的安全かつ調整可能な規定された運動経路において提供される。